(57)【特許請求の範囲】
【請求項１】
Ｎｉを５質量％以上２５質量％以下、Ｓｎを５質量％以上１０質量％以下、Ｍｎを０．０１質量％以上１質量％以下、元素Ａ（但し、元素ＡはＮｂ、Ｚｒ及びＴｉからなる群より選ばれる１以上）を０．００５質量％以上０．５質量％以下、炭素を０．００５質量％以上の範囲で含み、元素Ａに対する炭素のモル比が５．２以下であり、残部がＣｕ及び不可避的不純物であり、
破断伸びが１０％以上であり、
引張強度が９１５ＭＰａ以上である、銅合金。
【請求項２】
Ｎｉを１４．０質量％以上１６．０質量％以下の範囲で含み、Ｓｎを７．０質量％以上９．０質量％以下の範囲で含む、請求項１に記載の銅合金。
【請求項３】
前記元素ＡがＮｂであり、Ｎｂを０．００５質量％以上０．１質量％以下の範囲で含む、請求項１又は２に記載の銅合金。
【請求項４】
前記元素ＡがＺｒであり、Ｚｒを０．００５質量％以上０．３質量％以下の範囲で含む、請求項１又は２に記載の銅合金。
【請求項５】
前記元素Ａは少なくとも一部が炭化物として存在する、請求項１〜４のいずれか１項に記載の銅合金。
【発明の詳細な説明】
【技術分野】
【０００１】
本発明は、銅合金に関する。
【背景技術】
【０００２】
従来から各種バネや軸受け等に使われる高強度銅合金として、種々の銅合金が提案されている。例えば、特許文献１では、Ｎｉ−Ｓｎ−Ｃｕ系スピノーダル合金に、Ｍｎを添加し、銅合金の鋳造材で生じることのある粒界析出を防止した銅合金を提案している。また、この銅合金にＣｒ、Ｍｏ、Ｔｉ、Ｃｏ、Ｖ、Ｎｂ、Ｚｒ、Ｆｅ、Ｓｉ等を添加すると、Ｎｉ−Ｓｎ−Ｍｎ又はＳｉ、若しくはこのグループの添加元素どうしで硬い金属間化合物を作り、マトリックス中に晶出し、耐摩耗性と耐焼付性の向上に寄与するとしている。特許文献２では、銅にＣｒやＺｒを添加して導電率を低下させずに強度を高め、さらに、酸素量を６０ｐｐｍ以下としてＣｒやＺｒの酸化物の生成を抑制した銅合金を提案している。酸素の低下方法としては、溶解素材や溶湯中にカーボンを入れる方法を例示している。また、この銅合金に、ＮｉやＳｎ、Ｔｉ、Ｎｂなどを添加すると強度が向上し、ＴｉやＮｂを添加すると結晶粒粗大化防止が可能となるとしている。
【先行技術文献】
【特許文献】
【０００３】
【特許文献１】特開平８−２８３８８９号公報
【特許文献２】特開平７−５４０７９号公報
【発明の概要】
【発明が解決しようとする課題】
【０００４】
しかしながら、特許文献１，２の銅合金では、耐摩耗性や耐焼付性を向上したり、導電率を低下させずに強度を高めたりしているものの、延性が低く、例えば加工時に割れが生じたり、製品における伸びが低いことがあった。このため、延性に優れたＣｕ−Ｎｉ−Ｓｎ系の銅合金が望まれていた。
【０００５】
本発明はこのような課題を解決するためになされたものであり、延性に優れたＣｕ−Ｎｉ−Ｓｎ系の銅合金を提供することを主目的とする。
【課題を解決するための手段】
【０００６】
本発明の銅合金は、上述の主目的を達成するために以下の手段を採った。
【０００７】
本発明の銅合金は、
Ｎｉを５質量％以上２５質量％以下、Ｓｎを５質量％以上１０質量％以下、元素Ａ（但し、元素ＡはＮｂ、Ｚｒ及びＴｉからなる群より選ばれる１以上）を０．００５質量％以上０．５質量％以下、炭素を０．００５質量％以上の範囲で含み、元素Ａに対する炭素のモル比が１０．０以下である。
【発明の効果】
【０００８】
本発明の銅合金は、Ｎｉ、Ｓｎ、元素Ａ（Ｎｂ、Ｚｒ及びＴｉからなる群より選ばれる１以上）及び炭素を適度に含むため、延性に優れている。
【図面の簡単な説明】
【０００９】
【図１】実験例２，４，９，１２の溝ロール加工後の外観写真。
【図２】実験例６の鋳塊の電子顕微鏡写真及び特性Ｘ線像。
【図３】実験例９の鋳塊の電子顕微鏡写真及びＥＰＭＡマッピング結果。
【図４】実験例８の硬化熱処理後の電子顕微鏡写真及びＥＰＭＡマッピング結果。
【図５】実験例２の熱間圧延後（破断後）の電子顕微鏡写真及びＥＰＭＡマッピング結果。
【図６】実験例１５の鍛造品の外観写真。
【図７】実験例１６の鍛造品の外観写真。
【図８】実験例１７の鍛造品の外観写真。
【発明を実施するための形態】
【００１０】
本発明の銅合金は、Ｎｉを５質量％以上２５質量％以下、Ｓｎを５質量％以上１０質量％以下、元素Ａ（但し、元素ＡはＮｂ、Ｚｒ及びＴｉからなる群より選ばれる１以上）を０．００５質量％以上０．５質量％以下、炭素を０．００５質量％以上の範囲で含み、元素Ａに対する炭素のモル比が１０．０以下である。
【００１１】
Ｎｉには、溶体化熱処理後の時効硬化熱処理時に発現するスピノーダル分解により銅合金の強度を向上させる効果が期待される。Ｎｉの含有量が５質量％以上であれば強度がより向上し、２５質量％以下であれば延性に優れるとともに、Ｎｉ添加による導電率の低下が抑制される。Ｎｉの含有量は、１０質量％より多いことが好ましい。Ｎｉが１０質量％より多いものでは、溶解時に合金中へ溶解する炭素量が多くなり、後述する炭化物の形成がより効率的になる効果が期待できる。
【００１２】
Ｓｎには、銅合金中に固溶して強度を向上させる効果が期待される。Ｓｎの含有量が５質量％以上であれば強度がより向上し、１０質量％以下では延性を低下させることのあるＳｎ富化相が生じにくい。
【００１３】
元素ＡとしてのＮｂやＺｒ、Ｔｉには、銅合金中に含まれる炭素と炭化物を形成し、炭素単体が析出したり合金中に侵入型で炭素が固溶したりするのを抑制する効果が期待される。元素Ａの含有量が０．００５質量％以上であれば炭化物を形成しない炭素が多くなりすぎず、０．５質量％以下では溶湯の湯流れが良好であり鋳造欠陥の発生をより抑制できる。元素Ａの含有量は、例えば０．０１質量％以上０．３質量％以下としてもよい。元素ＡがＮｂの場合、含有量は、例えば０．０１質量％以上０．１質量％以下としてもよい。元素ＡがＺｒの場合、含有量は、例えば０．０３質量％以上０．３質量％以下としてもよい。元素ＡがＴｉの場合、含有量は、例えば０．０１質量％以上０．２５質量％以下としてもよい。なお、元素Ａは、少なくとも一部が炭化物として存在するものと考えられるが、炭化物以外の形態で存在していてもよい。元素Ａが炭化物として存在する場合、炭化物の粒径は、例えば、２０μｍ以下としてもよく、１０μｍ以下としてもよい。炭化物の粒径が大きすぎると、硬い炭化物を起点に割れが生じやすくなることが懸念される。
【００１４】
炭素（Ｃ）には、合金中に含まれる元素Ａと炭化物を形成して、結晶粒径を微細化する効果が期待される。炭素の含有量が０．００５質量％以上であれば、炭化物が十分に生成するため、凝固時の初晶の核生成が促進されて鋳造組織をより微細化したり、熱間加工後の溶体化熱処理時に転位のピン止め効果が有効に機能して再結晶粒の粗大化を抑制したりできる。炭素の含有量の下限は、例えば０．０１質量％以上としてもよい。炭素の含有量の上限は、例えば０．２質量％以下としてもよいし、０．１質量％以下としてもよい。
【００１５】
本発明の銅合金では、元素Ａに対する炭素のモル比、すなわち元素Ａのモル量ＭＡ（ｍｏｌ）に対する炭素（Ｃ）のモル量ＭＣ（ｍｏｌ）の比であるモル比ＭＣ／ＭＡが、１０．０以下である。モル比ＭＣ／ＭＡが１０．０以下であれば、炭化物を形成しない過剰な炭素が合金中に残存するのを抑制し、熱間加工性の低下や最終製品の延性の低下を抑制できる。モル比ＭＣ／ＭＡは、９．０以下としてもよく、８．０以下としてもよい。モル比ＭＣ／ＭＡの下限は、例えば０．０４以上としてもよく、０．１以上としてもよいし、０．２以上としてもよい。
【００１６】
本発明の銅合金は、Ｍｎ、Ｚｎ、Ｍｇ、Ｃａ、Ａｌ、Ｓｉ、Ｐ、Ｂからなる群より選ばれる１種以上の添加元素を含有するものとしてもよい。これらの添加元素には、銅合金中に固溶して溶湯の脱酸や溶体化熱処理時の結晶粒の粗大化を防止する効果が期待される。添加元素としてはＭｎがより好ましい。添加元素の含有量は、例えば合計で１質量％以下などとすることができる。添加元素の含有量は、０．０１質量％以上１質量％以下が好ましく、０．１質量％以上０．５質量％以下がより好ましく、０．１５質量％以上０．３質量％以下がさらに好ましい。添加元素の含有量が０．０１質量％以上であれば上述した効果が十分に期待できるが、１質量％を超える添加元素を添加しても更なる効果が認められない。
【００１７】
本発明の銅合金は、例えば、Ｃｕ−９質量％Ｎｉ−６質量％Ｓｎ組成のＣ７２７００材などをベースとするものとしてもよいし、Ｃｕ−２１質量％Ｎｉ−５質量％Ｓｎ組成のものをベースとするものとしてもよいし、Ｃｕ−１５質量％Ｎｉ−８質量％Ｓｎ組成のＣ７２９００材、Ｃ９６９００材などをベースとするものとしてもよい。なお、上記各組成は、例えば、各成分の含有量（質量％）が、その値を中心に±１質量％以内の範囲のものまで含むものとしてもよい。
【００１８】
本発明の銅合金は、残部がＣｕ及び不可避的不純物であることが好ましい。例えば、本発明の銅合金は、Ｎｉを５質量％以上２５質量％以下、Ｓｎを５質量％以上１０質量％以下、元素Ａ（但し、元素ＡはＮｂ、Ｚｒ及びＴｉからなる群より選ばれる１以上）を０．００５質量％以上０．５質量％以下、炭素を０．００５質量％以上の範囲で含み、元素Ａに対する炭素のモル比が１０．０以下であり、残部がＣｕ及び不可避的不純物であるものとしてもよい。また、本発明の銅合金は、Ｎｉを５質量％以上２５質量％以下、Ｓｎを５質量％以上１０質量％以下、上述した添加元素を０．０１質量％以上１質量％以下、元素Ａ（但し、元素ＡはＮｂ、Ｚｒ及びＴｉからなる群より選ばれる１以上）を０．００５質量％以上０．５質量％以下、炭素を０．００５質量％以上の範囲で含み、元素Ａに対する炭素のモル比が１０．０以下であり、残部がＣｕ及び不可避的不純物であるものとしてもよい。不可避的不純物としては、例えば、Ｆｅなどが挙げられるが、こうした不可避的不純物は合計で０．５質量％以下であることが好ましく、０．２質量％以下がより好ましく、０．１質量％以下がさらに好ましい。
【００１９】
本発明の銅合金は、ＡＳＴＭ  Ｅ１１２の切断法で測定した結晶粒径が２００μｍ以下であることが好ましく、１００μｍ以下であることがより好ましく、５０μｍ以下であることがさらに好ましい。結晶粒径が細かいと延性がより向上する。本発明の銅合金は、破断伸びが１０％以上であることが好ましい。本発明の銅合金は、引張強度が９１５ＭＰａ以上であることが好ましい。本発明の銅合金の形状は、例えば、板、条、線、棒、管、ブロック状などでもよいし、それ以外の形状でもよい。
【００２０】
本発明の銅合金は、以下に示す銅合金の製造方法で製造されたものとしてもよい。この銅合金の製造方法は、例えば、（ａ）溶解・鋳造工程、（ｂ）均質化熱処理工程、（ｃ）熱間加工工程、（ｄ）溶体化熱処理工程、（ｅ）硬化熱処理工程、を含むものとしてもよい。以下、各工程について説明する。
【００２１】
（ａ）溶解鋳造工程
この工程では、原料を溶解し、鋳造を行う。原料は所望の組成が得られるものであれば特に限定されない。Ｃｕ、Ｎｉ、Ｓｎ、元素Ａ（、添加元素）の原料としては、例えば、これらの単体やこれらのうちの２種以上を含む合金を用いることができる。炭素の原料としては、例えば、炉材、坩堝、溶湯の被覆材等として炭素を含むものを採用し、これを炭素の原料としてもよい。この場合、炉材、坩堝、溶湯の被覆材のうちの１つが炭素を含むものとしてもよいし、２つ以上が炭素を含むものとしてもよい。炉材、坩堝、溶湯の被覆材などに含まれる炭素は、黒鉛や、コークス、カーボンブラックなどとしてもよい。炉材や坩堝の種類、被覆材の種類や量、炭素との接触時間、炭素との接触温度、炭素との接触面積などを調整することで、銅合金中の炭素の含有量を調整できる。
【００２２】
鋳造方法は、全連続鋳造法、半連続鋳造法、バッチ鋳造法などとしてもよい。また、水平鋳造法、縦型鋳造法などとしてもよい。鋳塊の形状は、例えば、スラブ、ビレット、ブルーム、板、棒、管、ブロック状などでもよいし、それ以外でもよい。
【００２３】
（ｂ）均質化熱処理工程
この工程では、工程（ａ）で得られた銅合金を熱処理して、後工程に悪影響を及ぼす不均一な組織、例えば鋳造時に非平衡的に生成したミクロ偏析や化合物などを解消または低減し、均質な組織とする。均質化熱処理は、例えば、７００℃以上１０００℃以下、好ましくは８００℃以上９００℃以下の温度範囲で３時間以上２４時間以下、好ましくは８時間以上２０時間以下保持する処理としてもよい。なお、ＮｉやＳｎを多く含む銅合金では、ＮｉやＳｎの偏析が生じやすいが、均質化熱処理を行うことにより、例えば、鋳塊中のＮｉやＳｎのミクロ偏析を解消または低減し、熱間加工時の割れの発生を抑制し、銅合金中の不均質なＳｎ富化相の残留による伸びや疲労特性の悪化などを抑制することができる。
【００２４】
（ｃ）熱間加工工程
この工程では、工程（ｂ）で得られた銅合金を所望形状に熱間で加工する。熱間加工の方法は、例えば、熱間圧延、熱間押出、熱間引抜、熱間鍛造などとしてもよく、これらのうちの２以上を組み合わせてもよい。熱間圧延は、平ロールを用いた平ロール圧延のほか、溝ロールを用いた溝ロール圧延などとしてもよい。熱間加工は、６００℃以上９００℃以下、好ましくは７００℃以上９００℃以下で行うものとしてもよい。熱間加工による断面減少率（＝（熱間加工前の断面積−熱間加工後の断面積）／熱間加工前の断面積）は５０％以上でもよいし、７０％以上でもよいし、８０％以上でもよい。熱間加工として熱間鍛造を行う場合、熱間鍛造による相当ひずみは０．５以上でもよいし、３以上でもよいし、５以上でもよい。なお、相当ひずみは、加工前後の断面積比の自然対数の絶対値の和とする。
【００２５】
（ｄ）溶体化熱処理工程
この工程では、工程（ｃ）で得られた銅合金を加熱後急冷して、ＣｕにＮｉやＳｎを固溶させる。溶体化熱処理は、例えば、７００℃以上９５０℃以下の温度範囲で５秒以上６時間以下保持し、直ちに水冷や油冷、空冷などにより２０℃／ｓ以上の降温速度で急冷を行う処理としてもよい。Ｃｕ−９質量％Ｎｉ−６質量％Ｓｎ組成やＣｕ−２１質量％Ｎｉ−５質量％Ｓｎ組成をベースとする銅合金では、７５０℃以上８５０℃以下の温度範囲で５秒以上５００秒以下（好ましくは３０秒以上２４０秒以下）保持し、直ちに水冷するのが好ましい。Ｃｕ−１５質量％Ｎｉ−８質量％Ｓｎ組成をベースとする銅合金では、７９０℃以上８７０℃以下の温度範囲で０．７５時間以上６時間以下（好ましくは１時間以上４時間以下）保持し、直ちに水冷するのが好ましい。
【００２６】
（ｅ）硬化熱処理工程
この工程では、工程（ｄ）で得られた銅合金を熱処理して、スピノーダル分解を生じさせ、銅合金を硬化させる。硬化熱処理は、例えば、３００℃以上５００℃以下の温度範囲で１時間以上１０時間以下保持するものとしてもよい。Ｃｕ−１５質量％Ｎｉ−８質量％Ｓｎ組成をベースとする銅合金では、３２０℃以上４２０℃以下の温度範囲で１時間以上１０時間以下保持するものとしてもよい。Ｃｕ−９質量％Ｎｉ−６質量％Ｓｎ組成をベースとする銅合金では、３００℃以上４５０℃以下の温度範囲で、２時間以上３時間以下保持するものとしてもよい。Ｃｕ−２１質量％Ｎｉ−５質量％Ｓｎ組成をベースとする銅合金では、３５０℃以上５００℃以下の温度範囲で、２時間以上３時間以下保持するものとしてもよい。なお、薄板をミルハードン熱処理する場合は薄板の熱容量が小さいため、上述した各保持時間よりも短い時間保持してもよい。
【００２７】
以上説明した本発明の銅合金は、延性に優れている。このため、例えば、高強度で、かつ破断伸びが大きいことが要求される製品に適用できる。また、例えば、高温での延性に優れているため、熱間加工時の割れなどが生じにくい。また、溶体化熱処理及び硬化熱処理を行ったものでは、高強度で、かつ材料の延性やシャルピー衝撃値がより大きいため、より高い信頼性が求められる用途にまで適用範囲を拡大することが期待できる。なお、Ｓｎを多く含有する銅合金は、一般的に熱間加工時に割れが発生しやすい。これに対して、本発明の銅合金は、Ｓｎを比較的多く含むが熱間加工時の割れが生じにくい。また、Ｎｉを多く含有する銅合金では、一般に銅合金中に溶解した炭素が凝固後に黒鉛として析出してその後の熱間加工時や最終製品の延性を低下させることがある。合金中の炭素の黒鉛としての析出が確認できない場合でも、合金中に固溶する炭素原子が、材料が塑性変形する際の転位の移動を阻害し、熱間加工時や最終製品の延性を低下させることがある。これに対して、本発明の銅合金は、Ｎｉを比較的多く含むが熱間加工時や最終製品の延性が良好である。
【００２８】
また、本発明の銅合金は、延性に優れており、熱間加工や冷間加工での加工性が良好なため、製造方法や製品形状の選択肢が豊富である。というのも、従来、熱間加工の困難なＣｕ−Ｎｉ−Ｓｎ系の銅合金は、比較的製品サイズに近い寸法で鋳造が行える水平連続鋳造法で板を鋳造し、その後冷間圧延と焼鈍とを繰り返して薄板などの条製品に加工されていた。これに対して、本発明の組成を有する銅合金は、延性に優れており、鋳塊の熱間鍛造や熱間圧延等の熱間加工時に発生する割れが生じにくいため、鋳塊の寸法や形状に関わらず、熱間加工によって製品の寸法や形状又は製品に近い寸法や形状にまで比較的容易に加工できるため、水平連続鋳造法以外の鋳造法を採用できる。また、従来の水平連続鋳造法では、大ロットで一度に大量生産する場合はさほど問題にならないが、少量ロットで製造する場合は横型の炉内に湯が残りやすく、この残湯が歩留りを悪くするという問題があった。これに対して、本発明の銅合金では、例えば縦型連続鋳造法を適用可能であり、小ロットでも歩留まり良く鋳造できるため、全連続鋳造法だけでなく半連続鋳造法でも好適に鋳造できる。また、縦型連続鋳造法を適用可能なため、丸鋳塊や角鋳塊を容易に得ることができる。こうした丸鋳塊や角鋳塊を用いることで、例えば、断面の縦と横の比が１に近く、かつ断面積が大きなブロック状やビレット状の鍛造品などを比較的容易に製造できる。また、熱間加工や冷間加工での加工性が良好なため、種々の製品形状に加工することができ、適用範囲を薄板製品や条製品以外の用途にまで拡大することが期待できる。
【００２９】
本発明の銅合金は、高強度、低摩擦係数を有するＣｕ−Ｎｉ−Ｓｎ系銅合金であるため、例えば、軸受け等の摺動部品や、棒、管、ブロックなどの構造材として好適に用いることができる。また、高強度で導電性、曲げ成形性に優れているため、コネクター等の板バネ（薄板条材）として好適に用いることができる。また、応力緩和特性に優れているため高温環境で使用されるバーインソケット用端子等の端子として好適に用いることができる。
【００３０】
なお、本発明は上述した実施形態に何ら限定されることはなく、本発明の技術的範囲に属する限り種々の態様で実施し得ることはいうまでもない。
【００３１】
例えば、上述した実施形態では、銅合金の製造方法は、上述した工程（ａ）〜（ｅ）を含むものとしたが、こうしたものに限定されない。例えば、工程（ｂ）〜（ｅ）を省略し、工程（ａ）だけとしてもよい。こうして得られたＡｓＣａｓｔ材は、工程（ｂ）〜（ｅ）などに用いるのに適しており、加工性が良好で、伸びや強度の大きな製品を得ることができる。また、工程（ｃ）〜（ｅ）を省略してもよいし、工程（ｄ）〜（ｅ）を省略してもよいし、工程（ｅ）を省略してもよい。こうして得られた材料は、省略した工程などに用いるのに適している。
【００３２】
また、銅合金の製造方法は、工程（ｄ）と工程（ｅ）との間に、冷間加工工程を含んでもよい。冷間加工の方法は、例えば、冷間圧延、冷間押し出し、冷間引き抜き、冷間鍛造などとしてもよく、これらのうち２以上を組み合わせてもよい。また、工程（ｃ）に代えて冷間加工工程を行ってもよいし、工程（ｃ）と工程（ｄ）との間に冷間加工工程を含んでもよく、このとき冷間加工工程と焼鈍工程とを繰り返し行ってもよい。冷間加工の方法は、上述した方法としてもよい。
【実施例】
【００３３】
以下には、銅合金を具体的に作製した例について実験例として説明する。なお、実験例３，４，６，８〜１２，１４，１６，１７が本発明の実施例に相当し、実験例１，２，５，７，１３，１５が比較例に相当する。本発明は、以下の実験例に何ら限定されることはなく、本発明の技術的範囲に属する限り種々の態様で実施し得ることはいうまでもない。
【００３４】
［実験例１〜１２］
（銅合金の作製）
電気銅、電解ニッケル、スズ及び３５質量％Ｍｎ−Ｃｕを含む原料を高周波誘導溶解炉にてアルゴン雰囲気中で黒鉛製坩堝またはセラミックス製坩堝を用いて溶解し、１５質量％Ｎｉ−８質量％Ｓｎ−０．２質量％Ｍｎ銅合金ベースで表２の添加元素を含むφ１１０×２００ｍｍの鋳塊を得た。Ｎｂ源としては６０質量％Ｎｂ−Ｎｉを、Ｚｒ源としては金属Ｚｒを、Ｔｉ源としては金属Ｔｉを用いた。炭素源としては必要に応じて黒鉛含有溶湯被覆材を用い、溶湯に入れる被覆材の種類や量、溶湯と被覆材とが接触する時間、溶湯保持温度などを変えることで、炭素の含有量を調整した。なお、表中の元素Ａの量は元素Ａの湿式分析（ＩＣＰ）による分析値とし、表中の炭素の量は酸素気流中燃焼−赤外線吸収法による炭素分析装置で分析した値とした。
【００３５】
鋳塊を９００℃で８時間保持して均質化熱処理した後、熱間溝ロール加工用素材としてφ４２×９５ｍｍの丸棒を切出した。この丸棒を８５０℃に加熱し、溝ロール加工で断面形状が約１６×１６ｍｍの角棒に圧延した。溝ロール加工後の割れの発生状況を表２に示した。加工後の割れの評価は、加工の途中で破断し加工を中断したものを「破断」、深さが３ｍｍ以上の亀裂が長さ１００ｍｍの範囲に５箇所以上のものを「大」、深さが３ｍｍ以上の亀裂が長さ１００ｍｍの範囲に１箇所以上４箇所以下のものを「やや大」、深さが３ｍｍ以上の亀裂が存在せず、深さが３ｍｍ未満の亀裂が長さ１００ｍｍの範囲に５箇所以上のものを「中」、深さが３ｍｍ以上の亀裂が存在せず、深さが３ｍｍ未満の亀裂が長さ１００ｍｍの範囲に４箇所以下のものを「小」とした。参考として、図１に、実験例２，４，９，１２の溝ロール加工後の外観写真を示した。
【００３６】
溝ロール加工後の角棒を８３０℃で２時間加熱後直ちに水冷する溶体化処理をした後、３７０℃で４時間の硬化熱処理をした。この角棒から加工した引張試験片を用いて、室温で引張試験（ＪＩＳ Ｚ ２２４１に準拠、以下同じ）を実施した。引張試験結果を表２に示した。
【００３７】
（実験結果と考察）
元素Ａを添加していない実験例１，２では、熱間溝ロール加工時の割れ発生が著しく、引張試験片を加工できないか、引張試験における伸びが著しく小さかった。これに対して、元素Ａを添加した実験例３〜１２、では、実験例１，２よりも熱間溝ロール加工時の割れの発生が小さく、引張試験における伸びが大きかった。
【００３８】
元素ＡとしてＮｂを添加した実験例３〜６のうち、炭素を０．００５質量％以上含む実験例３，４，６では、炭素を０．００２質量％含む実験例５よりも、伸びや引張強度が大きかった。これは、Ｎｉを比較的多く含むＣｕ合金では、炭素を多く含むと延性が低下する（脆くなる）傾向にあるという一般的な認識を覆す結果であった。実験例１〜６の金属組織を観察した結果、実験例３，４，６にはＮｂ炭化物と推察される相（粒径は大きいもので３〜５μｍ程度）が数多く観察されたのに対して、実験例１，２，５では炭化物と推察される相が皆無又は極僅かであった。図２に、実験例６の鋳塊の電子顕微鏡写真（ＣＯＭＰＯ像、以下同じ）及びＥＰＭＡ分析結果（炭素及びニオブの特性Ｘ線像）を示す。ＣＯＭＰＯ像の白い粒子状の相と、特性Ｘ線像で炭素やニオブの存在を示す白い部分とが同じ位置に確認されることから、この相はＮｂ炭化物相であると推察された。実験例４，５，６の硬化熱処理後の金属組織の平均結晶粒径をＡＳＴＭ  Ｅ１１２の切断法で測定した結果、それぞれ４５μｍ，２１１μｍ，１１５μｍであった。以上より、Ｎｂや炭素を適度に含むものでは、炭素がＮｂとの炭化物の形成に利用されることによって、延性が低下する（脆くなる）原因である炭素単体が低減されるとともに、Ｎｂ炭化物によるピン止めの効果によって結晶粒が微細化して伸びや引張強度が大きくなると推察された。
【００３９】
元素ＡとしてＺｒを添加した実験例７〜１１のうち、モル比ＭＣ／ＭＡが１０．０以下の実験例８〜１１では、モル比ＭＣ／ＭＡが１０．３の実験例７よりも、伸びや引張強度が大きかった。また、実験例７よりも炭素の含有量が多い実験例９では、実験例７よりも伸びや引張強度が大きかった。以上より、炭素の含有量の上限は、元素Ａの含有量によって変化し、モル比ＭＣ／ＭＡの値が大きいと、Ｚｒ炭化物を形成していない炭素が過剰に存在するため、その炭素が伸びを小さくしていると推察された。図３に、実験例９の鋳塊の金属組織の電子顕微鏡写真とＥＰＭＡマッピング結果を示す。また、図４に、実験例８硬化熱処理後の銅合金の電子顕微鏡写真とＥＰＭＡマッピング結果を示す。図３，４のＥＰＭＡマッピング結果において、ＣＰと記載されている像はマッピング実施箇所のＣＯＭＰＯ像であり、Ｚｒ、Ｃｕ、Ｃ、Ｎｉ、Ｓｎと記載されている像は各成分のＥＰＭＡマッピング像である。マッピング像は、元はカラー画像であり、白っぽく見えている部分で各成分の量が多くなっている。ＣＯＭＰＯ像の角ばった相に対応する部分では、ＥＰＭＡマッピング像で炭素やＺｒが多く確認され、ＣｕやＮｉ、Ｓｎが少なくなっていた。このことから、角ばった相はＺｒ炭化物相であると推察された。さらに、ＣＯＭＰＯ像（×３０００）で、Ｚｒ炭化物相であると推察された相（各３箇所）について、組成分析した。その結果を表１に示す。表１に示すように、この相は、Ｚｒと炭素とのモル比がほぼ１：１であったことから、ＺｒＣ相であると推察された。実験例８の硬化熱処理後の金属組織の平均結晶粒径をＡＳＴＭ  Ｅ１１２の切断法で測定した結果、４８μｍであった。なお、実験例９，１１についても同様に硬化熱処理後の金属組織の平均結晶粒径を測定した結果、どちらも３５μｍであった。以上より、Ｚｒや炭素を適度に含むものでは、炭素がＺｒとの炭化物の形成に利用されることによって延性が低下する（脆くなる）原因が除去または低減されるとともに、Ｚｒ炭化物による転移のピン止め効果によって結晶粒が微細化して伸びや引張強度が大きくなると推察された。比較のため、図５に、比較例２の電子顕微鏡写真及びＥＰＭＡマッピング像を示した。図５より、元素Ａを添加していないものでは、炭素が析出し、こうした組織が延性を低下させているものと推察された。
【００４０】
【表１】
0005925936.tif 000002
【００４１】
元素ＡとしてＴｉを添加した実験例１２でも伸びや引張強度が大きかった。以上より、Ｔｉや炭素を適度に含むものでは、炭素がＴｉとの炭化物の形成に利用されることによって延性が低下する（脆くなる）原因が除去または低減されるとともに、Ｔｉ炭化物によるピン止めの効果によって結晶粒が微細化して伸びや引張強度が大きくなると推察された。
【００４２】
【表２】
0005925936.tif 000003
【００４３】
［実験例１３，１４］
（銅合金の作製）
電気銅、電解ニッケル、スズ、３５質量％Ｍｎ−Ｃｕを含む原料を高周波誘導溶解炉にてアルゴン雰囲気中で黒鉛坩堝を用いて溶解し、１５質量％Ｎｉ−８質量％Ｓｎ−０．２質量％Ｍｎ銅合金ベースで表３の添加元素を含む鋳塊を得た。鋳塊の健全部の寸法はいずれもφ２７５×５００ｍｍであった。Ｎｂ源は６０質量％Ｎｂ−Ｎｉとした。炭素源は黒鉛坩堝とし、黒鉛坩堝と溶湯との接触時間や溶湯保持温度を調整することで、炭素量を調整した。
【００４４】
鋳塊を９００℃で８時間保持して均質化熱処理した後、表面を面削した鋳塊を８５０℃で熱間押出しして、約φ１００ｍｍの丸棒を得た。この丸棒を８３０℃で２時間加熱後直ちに水冷する溶体化処理をした後、３７０℃で４時間の硬化熱処理をした。この丸棒から加工した引張試験片を用いて、室温で引張試験を実施した。引張試験結果を表３に示した。
【００４５】
（実験結果と考察）
元素Ａを添加した実験例１４では、元素Ａを添加していない実験例１３よりも、引張試験における伸びが大きかった。また、実験例１４では、引張強度も全体的に高かった。
【００４６】
【表３】
0005925936.tif 000004
【００４７】
［実験例１５〜１７］
電気銅、電解ニッケル、スズ、３５質量％Ｍｎ−Ｃｕを含む原料を高周波誘導溶解炉にてアルゴン雰囲気中で黒鉛坩堝を用いて溶解し、１５質量％Ｎｉ−８質量％Ｓｎ−０．２質量％Ｍｎ銅合金をベースとし、表４の添加元素を含む鋳塊を得た。鋳塊の健全部の寸法はいずれもφ２７５×３８０ｍｍであった。Ｎｂ源は６０質量％Ｎｂ−Ｎｉとし、Ｚｒ源は金属Ｚｒとした。炭素源は実験例１３，１４と同様黒鉛坩堝とした。
【００４８】
表面を面削した鋳塊を９００℃で８時間保持して均質化熱処理した後、素材の温度を８５０℃とし、最終的に相当ひずみが６である約φ１８０×６００ｍｍの丸棒を目標として熱間鍛造した。
【００４９】
元素Ａを添加していない実験例１５では、相当ひずみ０．７で据込み加工した時点で鋳塊の側面に複数の大きな割れが発生したため、以降の鍛造を中止した。元素Ａを添加した実験例１６，１７では、据込みと鍛伸加工を交互に繰返して、途中で比較的小さな表面の皺や割れを研削で除去しながら相当ひずみ６まで鍛造することができた。なお、実験例１６では最終の鍛伸加工時に丸棒の一端に切断除去できる程度の割れが発生したが、実験例１７では最後まで著しい割れもなく鍛造を終了することができた。実験例１５〜１７の鍛造品の外観を図６〜８に示す。以上より、本発明の銅合金は、熱間鍛造も可能であり、比較的容易に様々な形状に加工できるため、種々の用途に適用範囲を拡大することが期待できることがわかった。
【００５０】
【表４】
0005925936.tif 000005
【産業上の利用可能性】
【００５１】
本発明は、銅合金に関連する分野に利用可能である。
【要約】
【課題】延性に優れたＣｕＳｎＮｉ合金を提供する。
【解決手段】本発明の銅合金は、Ｎｉを５質量％以上２５質量％以下、Ｓｎを５質量％以上１０質量％以下、元素Ａ（但し、元素ＡはＮｂ、Ｚｒ及びＴｉからなる群より選ばれる１以上）を０．００５質量％以上０．５質量％以下、炭素を０．００５質量％以上の範囲で含み、元素Ａに対する炭素のモル比が１０．０以下である。この銅合金は、例えば、Ｍｎを０．０１質量％以上１質量％以下の範囲で含むものとしてもよい。この銅合金において、元素Ａは炭化物として存在するものとしてもよい。
【選択図】なし【図１】
0005925936.tif 000006
【図２】
0005925936.tif 000007
【図３】
0005925936.tif 000008
【図４】
0005925936.tif 000009
【図５】
0005925936.tif 000010
【図６】
0005925936.tif 000011
【図７】
0005925936.tif 000012
【図８】
0005925936.tif 000013